(57)【要約】【課題】  ボタン電話機用のインタフェース回路をデジタルコードレス電話の親機用インタフェース回路として使用する場合、該インタフェース回路を親機用に使用することを予め設定しなくても動作できるようにする。【解決手段】  ボタン電話主装置１０の内線に接続されるボタン電話機２０／親機３０に、自己の端末種別情報Ｆ６２／Ｆ７２を送出する送出手段Ｆ６１／Ｆ７１を備え、前記ボタン電話主装置１０に、端末種別情報の送出を要求する要求手段Ｆ５１と、前記ボタン電話機２０／親機３０より送出された端末種別情報を判定する判定手段Ｆ５２と、前記判定手段Ｆ５２の結果により、内線をボタン電話機として制御するか親機として制御するかを識別して制御する制御手段Ｆ５３とを備えた。【選択図】      図２
2005318369.tif 000002
【特許請求の範囲】
【請求項１】
１以上の外線および複数の内線を収容するボタン電話主装置と、前記内線に接続される複数のデジタルコードレス電話の親機と、前記親機と無線通信を行う１以上のデジタルコードレス電話の子機とからなり、前記内線には１以上のボタン電話機も接続することができるボタン電話装置において、
前記親機または前記ボタン電話機には、前記ボタン電話主装置からの要求に応じ自己の端末種別情報を送出する送出手段を備え、
前記ボタン電話主装置には、前記内線に接続された前記親機または前記ボタン電話機に端末種別情報の送出を要求する要求手段と、前記要求手段に応じ前記親機または前記ボタン電話機より送出された端末種別情報を判定する判定手段と、前記判定手段の結果により前記内線を親機として制御するかボタン電話機として制御するかを識別して制御する制御手段とを備える
ことを特徴とするボタン電話装置。
【請求項２】
１以上の外線および複数の内線を収容するボタン電話主装置と、前記内線に接続される複数のデジタルコードレス電話の親機と、前記親機と無線通信を行う１以上のデジタルコードレス電話の子機とからなり、前記内線には１以上のボタン電話機も接続することができるボタン電話装置において、
前記親機または前記ボタン電話機には、前記ボタン電話主装置へ接続された後に自己の端末種別情報を送出する送出手段を備え、
前記ボタン電話主装置には、前記親機または前記ボタン電話機より送出された端末種別情報を判定する判定手段と、前記判定手段の結果により前記内線を親機として制御するかボタン電話機として制御するかを識別して制御する制御手段とを備える
ことを特徴とするボタン電話装置。
【請求項３】
１以上の外線および複数の内線を収容するボタン電話主装置と、前記内線に接続される複数のコードレス電話の親機と、前記親機と無線通信を行う１以上のコードレス電話の子機とからなり、前記内線には１以上のボタン電話機も接続することができるボタン電話装置において、
前記親機または前記ボタン電話機には、前記ボタン電話主装置からの要求に応じ自己の端末種別情報を送出する送出手段を備え、
前記ボタン電話主装置には、前記内線に接続された前記親機または前記ボタン電話機に端末種別情報の送出を要求する要求手段と、前記要求手段に応じ前記親機または前記ボタン電話機より送出された端末種別情報を判定する判定手段と、前記判定手段の結果により前記内線を親機として制御するかボタン電話機として制御するかを識別して制御する制御手段とを備える
ことを特徴とするボタン電話装置。
【請求項４】
１以上の外線および複数の内線を収容するボタン電話主装置と、前記内線に接続される複数のコードレス電話の親機と、前記親機と無線通信を行う１以上のコードレス電話の子機とからなり、前記内線には１以上のボタン電話機も接続することができるボタン電話装置において、
前記親機または前記ボタン電話機には、前記ボタン電話主装置へ接続された後に自己の端末種別情報を送出する送出手段を備え、
前記ボタン電話主装置には、前記親機または前記ボタン電話機より送出された端末種別情報を判定する判定手段と、前記判定手段の結果により前記内線を親機として制御するかボタン電話機として制御するかを識別して制御する制御手段とを備える
ことを特徴とするボタン電話装置。
【発明の詳細な説明】
【技術分野】
【０００１】
本発明は、複数のコードレス電話の親機と、１以上のコードレス電話の子機との間を相互に接続可能なコードレス電話機能付きボタン電話装置に関する。
【背景技術】
【０００２】
デジタルコードレス電話の無線局（電波法施行規則第６条第４項第５号に規定する無線局をいう。以下同じ。無線局ともいう。）は、デジタルコードレス電話の親機（以下、親機という。）、および、デジタルコードレス電話の子機（以下、子機という。）により構成され、該無線局をボタン電話装置等の構内電話設備（以下、電話設備等という。）に接続し、いわゆるデジタルコードレス電話システムを構成できることが知られている。また、該親機と該子機との無線区間インタフェースについては、社団法人電波産業会により標準規格“ＲＣＲ  ＳＴＤ−２８”が策定され、各種のデジタルコードレス電話システム等に使用されている。
【０００３】
該無線局のうち該親機に関しては、電話設備等に親機用のインタフェース回路を備えることにより制御を行っており、該子機に関しては、電話設備等に収容する外線（電話回線）数が増加しても簡単に対応できるシステムが提供されている（例えば、特許文献１参照）。
【０００４】
また、電話設備等に親機用のインタフェース回路を専用に設けず、電話設備等の内線に接続されるボタン電話機用のインタフェース回路を流用できる物が提供されている（例えば、松下通信工業株式会社が販売している、商品名“デジタルステーションＡｃｓｏｌ−Ｖ５１２”等）。
【０００５】
しかし、上述したボタン電話機用のインタフェース回路を親機用インタフェース回路として流用する場合には、該インタフェース回路を親機用に使用することを予め設定しなければ動作しないことが知られている。これは、ボタン電話機用のインタフェース回路として使用する場合と、親機用のインタフェース回路として使用する場合では、ボタン電話主装置との間で伝送する情報が異なり統一することができないためである。
【特許文献１】特開２００２−３１５０２８号公報
【発明の開示】
【発明が解決しようとする課題】
【０００６】
解決しようとする問題点は、上述したボタン電話機用のインタフェース回路を親機用インタフェース回路として使用する場合に、該インタフェース回路を親機用に使用することを予め設定しなくても動作できるようにすることである。
【課題を解決するための手段】
【０００７】
上記課題を解決するために、本発明は、１以上の外線および複数の内線を収容するボタン電話主装置と、前記内線に接続される複数のデジタルコードレス電話の親機と、前記親機と無線通信を行う１以上のデジタルコードレス電話の子機とからなり、前記内線には１以上のボタン電話機も接続することができるボタン電話装置において、前記親機または前記ボタン電話機には、前記ボタン電話主装置からの要求に応じ自己の端末種別情報を送出する送出手段を備え、前記ボタン電話主装置には、前記内線に接続された前記親機または前記ボタン電話機に端末種別情報の送出を要求する要求手段と、前記要求手段に応じ前記親機または前記ボタン電話機より送出された端末種別情報を判定する判定手段と、前記判定手段の結果により前記内線を前記親機として制御するか前記ボタン電話機として制御するかを識別して制御する制御手段とを備えるようにした。
【０００８】
また、本発明は、１以上の外線および複数の内線を収容するボタン電話主装置と、前記内線に接続される複数のデジタルコードレス電話の親機と、前記親機と無線通信を行う１以上のデジタルコードレス電話の子機とからなり、前記内線には１以上のボタン電話機も接続することができるボタン電話装置において、前記親機または前記ボタン電話機には、前記ボタン電話主装置へ接続された後に自己の端末種別情報を送出する送出手段を備え、前記ボタン電話主装置には、前記親機または前記ボタン電話機より送出された端末種別情報を判定する判定手段と、前記判定手段の結果により前記内線を親機として制御するかボタン電話機として制御するかを識別して制御する制御手段とを備えるようにした。
【発明の効果】
【０００９】
本発明によれば、ボタン電話機用のインタフェース回路を親機用インタフェース回路として使用する場合に、該インタフェース回路を親機用に使用することを予め設定しなくても動作できるようになるため、電話設備の設置工事が簡略化されると共に、利用者の席移動、配置変え等が発生しても容易に対応することができる。また、親機として使用していた場合、親機が動作しなくなった等の故障が発生したときに該親機自体の故障か、配線が断線したかの切り分けが困難であったが、本発明によれば、該親機の代わりにボタン電話機を接続し動作すれば配線の断線はないことが確認でき、故障原因の切り分けが容易になる。
【発明を実施するための最良の形態】
【００１０】
以下、本発明の実施形態について説明する。なお、以下の実施形態では、ボタン電話装置としてボタン電話主装置と該ボタン電話主装置に接続されたボタン電話機または親機を例にあげて説明する。しかし、本発明はこれに限定されない。例えばボタン電話主装置の代わりにボタン電話機または親機を収容する構内交換機で実施しても良い。なお、本発明で開示している外線とは、一般公衆回線、ＩＰ電話事業者の回線、専用線、私設線、携帯電話機等の無線使用回線（無線／有線変換アダプタ使用）、等も含まれる。また、親機、子機は、前述したデジタルコードレス電話の無線局として説明するが、コードレス電話の無線局（電波法施行規則第６条第４項第１号に規定する無線局）で実施しても良い。
【００１１】
図１は、本発明に係るボタン電話装置を構成するボタン電話主装置１０と、ボタン電話機２０と、親機３０の構成概略図である。図２は、本発明に係るボタン電話主装置１０の中央制御部１１と、ボタン電話機２０の制御部２１と、親機３０の無線制御部３３の機能ブロック図である。図３は、本発明に係るボタン電話装置を構成する各機器間の概略シーケンス図である。
【００１２】
まず、図１を用いてボタン電話装置を構成するボタン電話主装置１０と、ボタン電話機２０と、親機３０の構成の概要を説明する。ボタン電話装置は、１以上の外線および複数の内線を収容するボタン電話主装置１０と、該ボタン電話主装置１０に接続された１以上のボタン電話機２０と、複数の親機３０−１〜３０−ｎと、該親機３０−１〜３０−ｎと無線通信を行う１以上の子機４０から構成される。
【００１３】
ボタン電話主装置１０は、中央制御部１１と、通話路スイッチ１２と、複数の外線回路１３−１〜１３−ｎと、トーン送出部１４と、複数の内線回路１５−１〜１５−ｎと、記憶部１６とを有して構成される。
【００１４】
中央制御部１１は、ボタン電話主装置１０の各回路からの入力情報（ボタン電話機２０および親機３０からの情報も含む）に対する解析や判断、記憶部１６に対する情報の入出力、各回路の制御を行う。
【００１５】
通話路スイッチ１２は、ボタン電話主装置１０内の交換処理（外線と内線の接続、外線と外線の接続、内線とトーン送出部１４との接続、他）を行う。
【００１６】
外線回路１３−１〜１３−ｎは、外線に接続されるインタフェース回路である。なお、本発明で開示している外線とは、一般公衆回線、ＩＰ電話事業者の回線、専用線、私設線、携帯電話等の無線使用回線（無線／有線変換アダプタ使用）、等も含まれる。
【００１７】
トーン送出部１４は、内線にダイヤルトーンや話中音を送出するとき、および外線へ保留音を送出するとき等に、通話路スイッチ１２を経由して外線や内線に接続される。
【００１８】
内線回路１５−１〜１５−ｎは、ボタン電話機２０および親機３０−１〜３０−ｎと音声データ、制御データの通信を行うためのインタフェース回路である。
【００１９】
記憶部１６は、通常の記憶部としての働きの他に、ボタン電話機２０および親機３０−１〜３０−ｎより受信した端末種別情報が格納される。
【００２０】
また、ボタン電話機２０は、少なくとも、制御部２１と、データ送受信回路２２と、音声処理部２３と、送受話器２４と、スピーカ２５と、ダイヤルキー２６と、外線キー２７と、機能キー２８と、ＬＣＤ表示器２９を有して構成される。
【００２１】
制御部２１は、ボタン電話機２０内の各回路からの入力情報に対する解析や判断、各回路の制御を行う。また、ボタン電話主装置１０よりの要求に応じて自己の端末種別情報（ボタン電話機であること）を送出する送出手段を有している。
【００２２】
データ送受信回路２２は、内線を介してボタン電話主装置１０と音声データ、制御データの通信を行うためのインタフェース回路である。
【００２３】
音声処理部２３は、音声のデジタル／アナログ変換、アナログ／デジタル変換と、ボタン電話機２０内の送受話器２４やスピーカ２５等との通話路切替および音量を制御する。
【００２４】
送受話器２４は、一般的な通話時の送話、受話を行うためのハンドセットである。
【００２５】
スピーカ２５は、内線／外線の着信音の送出や、スピーカによる拡声受話等に使用する可聴音送出手段である。
【００２６】
ダイヤルキー２６は、電話番号を入力する手段であり、また、各種設定の入力手段としても用いられる。
【００２７】
外線キー２７は、複数ある外線から使用したい外線を選択するための複数の入力手段である。
【００２８】
機能キー２８は、ボタン電話装置で一般的に使用する保留や拡声受話、各種設定への移行等の複数の入力手段である。
【００２９】
ＬＣＤ表示器２９は、電話番号、通話時間等を表示する可視表示手段である。
【００３０】
さらに、親機３０は、少なくとも、データ送受信回路３１と、無線部３２と、無線制御部３３を有して構成される。
【００３１】
データ送受信回路３１は、内線を介してボタン電話主装置１０と音声データ、制御データの通信を行うためのインタフェース回路である。
【００３２】
無線部３２は、子機４０と無線通信を行う機能（無線送受信機能、変復調機能、ＴＤＭＡ制御機能、他）と、コーデック機能を有している。
【００３３】
無線制御部３３は、親機３０内の各回路からの入力情報に対する解析や判断、各回路の制御を行う。また、ボタン電話主装置１０よりの要求に応じて自己の端末種別情報（親機であること）を送出する送出手段を有している。
【００３４】
子機４０は、詳細を図示していないが、少なくとも、親機３０と無線通信を行う機能（無線送受信機能、変復調機能、ＴＤＭＡ制御機能、他）と、通話機能（コーデック機能、送話機能、受話機能）と、操作機能（ダイヤルキー、各種機能キー、他）と、表示機能（ＬＣＤ表示器、他）を有している。
【００３５】
次に、本発明に係るボタン電話主装置１０の中央制御部１１と、ボタン電話機２０の制御部２１と、親機３０の無線制御部３３の機能構成を、図２を用いて説明する。ボタン電話主装置１０の中央制御部１１は、少なくとも、データ送受信手段Ｆ５０と、要求手段Ｆ５１と、判定手段Ｆ５２と、制御手段Ｆ５３とを有しており、記憶部１６に、少なくとも、受信した端末種別情報を格納する端末種別情報Ｆ５４を有して構成される。
【００３６】
データ送受信手段Ｆ５０は、各手段よりボタン電話機２０または親機３０へ送出する情報の通知を受けると、内線回路１５を経由してボタン電話機２０または親機３０へ情報を送出する機能を有している。また、ボタン電話機２０または親機３０より内線回路１５を経由して受信した情報を判定手段Ｆ５２へ通知する機能を有している。
【００３７】
要求手段Ｆ５１は、電源投入時、および、その他必要な場合（例えば、他の端末よりボタン電話機２０への着信要求があった場合）、または一定周期（例えば、約３秒）で、データ送受信手段Ｆ５０へ端末種別情報の送出を要求する通知を出す機能を有している。なお、本手段を省略し、ボタン電話機２０または親機３０側で、例えば、内線回路１５に接続されたことを検出すると自己の端末種別情報を送出する構成としても良い。
【００３８】
判定手段Ｆ５２は、データ送受信手段Ｆ５０より通知されたボタン電話機２０または親機３０より受信した情報を分析し、該受信情報が端末種別情報であった場合には、該端末種別情報を判定し、対応する内線回路１５に接続されている端末がボタン電話機か親機かを制御手段Ｆ５３へ通知する機能を有している。なお、該受信情報が端末種別情報以外の場合は、判定せず制御手段Ｆ５３へ通知する。
【００３９】
制御手段Ｆ５３は、判定手段Ｆ５２より通知されたボタン電話機か親機かの情報を記憶部１６の端末種別情報Ｆ５４へ格納する。以後、端末種別情報Ｆ５４を参照し、ボタン電話機であった場合は、判定手段Ｆ５２経由でボタン電話機２０より受信した情報の解析や判断、各回路の制御を行う。また、データ送受信手段Ｆ５０経由でボタン電話機２０へ着信情報や表示情報を送出する制御を行う機能を有している。また、端末種別情報Ｆ５４を参照し、親機であった場合は、判定手段Ｆ５２経由で親機３０が子機４０と無線通信をおこなった内容を受信し、ＩＤ認証や位置登録等の無線局特有の情報の解析や判断、各回路の制御を行う。また、データ送受信手段Ｆ５０経由で親機３０へ子機４０に対する着信情報や表示情報を送出する制御を行う機能を有している。
【００４０】
次に、ボタン電話機２０の制御部２１の機能構成を説明する。ボタン電話機２０の制御部２１は、少なくとも、データ送受信手段Ｆ６０と、送出手段Ｆ６１と、端末種別情報（ボタン電話機）Ｆ６２とを有して構成される。
【００４１】
データ送受信手段Ｆ６０は、データ送受信回路２２経由で、ボタン電話主装置１０の内線回路１５と、音声データ、制御データの通信を行う手段であり、データ送受信回路２２より受信したデータを解析し、受信したデータが端末種別情報送出要求であった場合は、送出手段Ｆ６１へ通知する。また、送出手段Ｆ６１より端末種別情報の送出通知を受けるとデータ送受信回路２２へ端末種別情報の送出を指示する。さらに、電源投入等の処理開始時点でデータ送受信回路２２を監視し、ボタン電話主装置１０に接続されたか否かを判定し、接続されたことが確認できた時点（データ通信の確立）で、接続された旨を送出手段Ｆ６１へ通知する機能を有している。
【００４２】
送出手段Ｆ６１は、データ送受信手段Ｆ６０より端末種別情報送出要求の通知、または接続された旨の通知を受けると、端末種別情報（ボタン電話機）Ｆ６２の内容をデータ送受信手段Ｆ６０へ通知する機能を有している。なお、一定周期（例えば、約３秒）で端末種別情報（ボタン電話機）Ｆ６２の内容をデータ送受信手段Ｆ６０へ通知する構成としても良い。
【００４３】
端末種別情報（ボタン電話機）Ｆ６２は、ボタン電話機であることを示す端末種別情報である。
【００４４】
次に、親機３０の無線制御部３３の機能構成を説明する。親機３０の無線制御部３３は、少なくとも、データ送受信手段Ｆ７０と、送出手段Ｆ７１と、端末種別情報（親機）Ｆ７２とを有して構成される。
【００４５】
データ送受信手段Ｆ７０は、データ送受信回路３１経由で、ボタン電話主装置１０の内線回路１５と、音声データ、制御データの通信を行う手段であり、データ送受信回路３１より受信したデータを解析し、受信したデータが端末種別情報送出要求であった場合は、送出手段Ｆ７１へ通知する。また、送出手段Ｆ７１より端末種別情報の送出通知を受けるとデータ送受信回路３１へ端末種別情報の送出を指示する。さらに、電源投入等の処理開始時点でデータ送受信回路３１を監視し、ボタン電話主装置１０に接続されたか否かを判定し、接続されたことが確認できた時点（データ通信の確立）で、接続された旨を送出手段Ｆ７１へ通知する機能を有している。
【００４６】
送出手段Ｆ７１は、データ送受信手段Ｆ７０より端末種別情報送出要求の通知、または接続された旨の通知を受けると、端末種別情報（親機）Ｆ７２の内容をデータ送受信手段Ｆ７０へ通知する機能を有している。なお、例えば、子機４０側からの接続要求があった場合、または一定周期（例えば、約３秒）で端末種別情報（親機）Ｆ７２の内容をデータ送受信手段Ｆ７０へ通知する構成としても良い。
【００４７】
端末種別情報（親機）Ｆ７２は、親機であることを示す端末種別情報である。
【００４８】
次に、本発明に係るボタン電話装置を構成する各機器間の概略シーケンスを、図３を用いて説明する。図３は、上段：（１）ボタン電話機接続時、中段：（２）親機接続時、下段：（３）親機からボタン電話機への接続替え、の３通りのシーケンスを図示している。
【００４９】
まず、上段：（１）ボタン電話機接続時を説明する。本図ではボタン電話主装置１０が、端末（ボタン電話機）に端末種別送出要求を出し（Ｓ１）、それに対し接続されているボタン電話機２０より端末種別を送出する（Ｓ２）。端末種別を受信したボタン電話主装置１０は、ボタン電話機であるか否かの判定を行い（Ｓ３）、ボタン電話機であることを識別すると、記憶部１６の端末種別情報Ｆ５４の当該内線回路に対応した種別をボタン電話機に書き換えて（Ｓ４）該端末はボタン電話機であるとして以後、ボタン電話機として制御する（Ｓ５）。
【００５０】
次に、中段：（２）親機接続時を説明する。本図ではボタン電話主装置１０が、端末に端末種別送出要求を出し（Ｓ１１）、それに対し接続されている親機３０より端末種別を送出する（Ｓ１２）。端末種別を受信したボタン電話主装置１０は、ボタン電話機であるか否かの判定を行い（Ｓ１３）、ボタン電話機でないことを識別すると、該端末は親機であるとして記憶部１６の端末種別情報Ｆ５４の当該内線回路に対応した種別を親機と書き換え（Ｓ１４）、親機として制御する（Ｓ１５）。親機３０はボタン電話主装置１０より制御されることで、子機４０との無線通信を開始する（Ｓ１６）。
【００５１】
次に、下段：（３）親機からボタン電話機への接続替えを説明する。これは、中段：（２）親機接続時から継続している前提で図示している。親機３０を故障等の理由でボタン電話機２０に接続替えする必要があった場合である。本図では、故障した親機３０を従来接続されていた内線回路から取り外し（Ｓ２１）、この内線回路に置き換えるボタン電話機を取り付ける（Ｓ２２）。ボタン電話主装置１０は、端末に端末種別送出要求を出し（Ｓ２３）、それに対し接続替えされたボタン電話機２０より端末種別を送出する（Ｓ２４）。端末種別を受信したボタン電話主装置１０は、ボタン電話機か否かの判定を行い（Ｓ２５）、ボタン電話機であることを識別すると、記憶部１６の端末種別情報Ｆ５４の当該内線回路に対応した種別をボタン電話機に書き換えて（Ｓ２６）、親機制御をやめ、該端末はボタン電話機であるとして以後、ボタン電話機として制御する（Ｓ２７）。
【００５２】
これまでに説明した通り、本発明は、ボタン電話主装置１０が、端末に送出する端末種別送出要求と、それに対し接続されているボタン電話機２０、または親機３０より送出される端末種別の２つの情報は共通フォーマットとし、他の情報は各端末（ボタン電話機２０、または親機３０）各々で、従来から実施されている専用のフォーマットを使用することができ、開発期間等の削減を図れる効果もある。
【図面の簡単な説明】
【００５３】
【図１】本発明に係るボタン電話装置を構成するボタン電話主装置１０と、ボタン電話機２０と、親機３０の構成概略図。
【図２】本発明に係るボタン電話主装置１０の中央制御部１１と、ボタン電話機２０の制御部２１と、親機３０の無線制御部３３の機能ブロック図。
【図３】本発明に係るボタン電話装置を構成する各機器間の概略シーケンス図。
【符号の説明】
【００５４】
１０  ボタン電話主装置
１１  中央制御部
１２  通話路スイッチ
１３  外線回路
１４  トーン送出部
１５  内線回路
１６  記憶部
２０  ボタン電話機
２１  制御部
２２  データ送受信回路
２３  音声処理部
２４  送受話器
２５  スピーカ
２６  ダイヤルキー
２７  外線キー
２８  機能キー
２９  ＬＣＤ表示器
３０  親機
３１  データ送受信回路
３２  無線部
３３  無線制御部
４０  子機
Ｆ５０  データ送受信手段
Ｆ５１  要求手段
Ｆ５２  判定手段
Ｆ５３  制御手段
Ｆ５４  端末種別情報
Ｆ６０  データ送受信手段
Ｆ６１  送出手段
Ｆ６２  端末種別情報（ボタン電話機）
Ｆ７０  データ送受信手段
Ｆ７１  送出手段
Ｆ７２  端末種別情報（親機）
【図１】
2005318369.tif 000003
【図２】
2005318369.tif 000004
【図３】
2005318369.tif 000005